(57)【要約】【課題】コンロに使用する天板の全体的な強度を向上すると共に、天板の開口の形成されていない空きスペースに鍋などの調理具を置いても、天板に溜まった煮こぼれ汁による調理具の汚れを防止でき、さらに調理具の接触による外周壁部の傷発生を容易に防止可能とすることである。【解決手段】天板３０は、該天板の前方部で左右の位置にガスバーナが臨む前部開口１６と、該前部開口の間の後方にガスバーナが臨む後部開口を有し、これら開口の周縁部に開口を囲繞する開口周囲壁部３４を形成し、天板の外周全周に外周壁部３３を形成している。この天板の左右の前部開口１６の後方で後部開口の両側の位置の空きスペースを調理具載置部１９として、ここに突起として３本の突条突起３２を平行線状に形成した。この突条突起３２の頂部は外周壁部３３の頂部より高くする。【選択図】        図３
2004150775.tif 000002
【特許請求の範囲】
【請求項１】
加熱源を収容したコンロ本体の上面の開口を覆う天板であって、該天板に前記加熱源が臨む開口周囲壁部で囲繞した開口を有し、外周全周に外周壁部を有する天板において、
前記天板の前記外周壁部内で前記開口の形成されていない空きスペースに複数の突起を形成したことを特徴とする天板。
【請求項２】
前記天板は該天板の前方部で左右の位置の前部開口と該前部開口の間の後方部で後部開口を有し、前記前部開口の後方で前記後部開口の両側の位置の空きスペースに前記突起を形成したことを特徴とする請求項１記載の天板。
【請求項３】
前記突起の頂部は前記外周壁部の頂部より高いことを特徴とする請求項１または２記載の天板。
【発明の詳細な説明】
【０００１】
【発明の属する技術分野】
本発明は、ガスコンロ等のコンロ本体の上面の開口を覆う天板に関する。
【０００２】
【従来の技術】
ガスコンロは、ガスバーナを収容したコンロ本体と、該コンロ本体の上面の開口を覆うガスバーナが臨む開口を開設した天板とからなり、天板には絞り加工により開口周囲に開口周囲壁部が形成され、外周全周に外周壁部が形成されている（例えば、特許文献１参照）。
【０００３】
ところで、近年、コンロ本体の薄型化に伴い天板もフラット感のあるものにされつつある。しかしながら、天板にフラット感を出したいために、天板の絞りを浅くすると、深絞りの天板に比べて加熱した場合に熱歪みが出やすくなる問題があった。また天板の開口のない空きスペースを鍋置きスペースとして、そこに鍋を置くと天板上に溜まった煮こぼれ汁が鍋底全面に付着し、鍋底が汚れる問題もある。さらに鍋底が天板の外周壁部に接触すると、外周壁部に擦り傷が発生する問題もあった。
【０００４】
【特許文献１】
特許２９３９１８６号公報
【０００５】
【発明が解決しようとする課題】
したがって、本発明の課題は、コンロに使用する天板の全体的な強度を向上すると共に、天板の開口の形成されていない空きスペースに鍋などの調理具を置いても、天板に垂れた煮こぼれ汁による調理具の汚れを防止でき、さらに調理具の接触による天板外周部の傷発生を容易に防止可能とすることである。
【０００６】
【課題を解決するための手段】
上記課題を解決するために、本発明は、加熱源を収容したコンロ本体の上面の開口を覆う天板であって、該天板に前記加熱源が臨む開口周囲壁部で囲繞した開口を有し、外周全周に外周壁部を有する天板において、前記天板の前記外周壁部内で前記開口の形成されていない空きスペースに複数の突起を形成したことを特徴とする。前記突起は長手に延びる突条突起または山形突起とすることができる。
【０００７】
本発明の一態様では、前記天板は該天板の前方部で左右の位置の前部開口と該前部開口の間の後方部で後部開口を有し、前記前部開口の後方で前記後部開口の両側の位置の空きスペースに前記突起を形成した。好ましくは、前記突起の頂部を前記外周壁部の頂部より高くする。
【０００８】
本発明によれば、天板の外周壁部内でガスバーナが臨む開口の形成されていない空きスペースに突起を形成したので、外周壁部と共に天板の強度を全体的に高くすることができる。また該空きスペースに調理具、たとえば鍋を置いても、鍋底は突起に乗るので天板の外周壁部で囲まれる凹部に溜まった煮こぼれ汁に浸ることがなく、鍋底が煮こぼれ汁で汚れるのを防止できる。さらに突起の頂部を外周壁部の頂部より高くすることにより、空きスペースに置いた鍋底が外周壁部に接触するのを防いで、外周壁部に擦り傷が付くのを防止できる。
【０００９】
【発明の実施の形態】
以下、本発明の実施の形態を詳述する。
【００１０】
図１は、本発明の一実施の形態の天板を用いたガスコンロを示す側断面図である。
【００１１】
コンロの一例としてのガスコンロ１０は、ビイルトイン式のコンロで、加熱源としてのガスバーナ１１等を収容したコンロ本体１２の上面の開口を天板３０により覆ってなっている。コンロ本体１２はその上部フランジ１２１により、キッチンのワークトップ１３に開設した開口１４の周縁に吊持され、コンロ本体１２を覆った天板３０はワークトップ１３の上面に載置される。ワークトップ１３の前面に臨んだコンロ本体１２の前面部には、点火ボタン１５等が配設されている。
【００１２】
天板３０は、図２に示すように、前部寄りの左右にガスバーナ用の大きな開口１６、１６が開設され、この前部の開口１６、１６の間の後方位置にガスバーナ用の小さな開口１７が開設されている。また後部の開口１７の後にはグリルの排気口１８が長穴状に開設されている。また前部の開口１６、１６の後で後部の開口１７の両側の位置の比較的大きな空きスペース１９は、鍋その他の調理具の載置部となる。排気口１８の左右の穴２０はコンロ本体１２内の熱気排出用開口である。
【００１３】
前部の各開口１６には、図１に示すように汁受皿２１が配設され、汁受皿２１の中央開口２１ａに前記のガスバーナ１１を挿通して、該バーナ１１を天板３０の開口１６に臨ませる。天板３０の開口１６の周囲には五徳２２が配設される。後部の開口１７にも同様に汁受皿、ガスバーナおよび五徳が配設される。
【００１４】
本実施の形態によれば、天板３０にプレス加工を施すことにより、天板３０の開口１６、１７の周縁部に該開口を囲繞する開口周囲壁部３４を形成すると共に、天板３０の上面周囲に外周壁部３３を形成し、これと同時に調理具載置部１９に突起として長手に延びる突状突起３２を形成した。
【００１５】
３０Ａはこの外周壁部３３により囲まれる凹部で、この実施の形態では凹部３０Ａの底からの外周壁部３３の頂部の高さは２．５ｍｍ、突条突起３２の頂部の高さは３．５ｍｍ、開口周囲壁部３４の頂部の高さは２．５ｍｍである。
【００１６】
天板３０の前縁部３０Ｂ、左右側縁部３０Ｃ、後縁部３０Ｄからなる外周壁部３３のうち、後縁部３０Ｄは前記排気口１８と穴２０が形成される形成領域３０Ｅであり、前縁部３０Ｂ、左右側縁部３０Ｃに比べ非常に幅広である。
【００１７】
天板３０の前部の各開口１６の開口周囲壁部３４の内側には段部３４ｄが形成されており、汁受皿２１の受部として機能する。開口周囲壁部３４は、図３に示すように、凹部３０Ａの底面から立ち上がった外周壁３４ａと、該外周壁３４ａの上端から内方に延びた水平壁３４ｂと、該水平壁３４ｂの内側端から垂直に凹部３０Ａの底面よりも下方まで垂下した内周垂下壁３４ｃとからなり、前記段部３４ｄは該内周垂下壁３４ｃの下端から内側に水平に突出されている。天板３０の後部の開口１７についても同様である。
【００１８】
汁受皿２１は中央開口２１ａの周囲に汁溜め部２１ｂを有し、該汁受溜め２１ｂの外周から立ち上がった外周壁部２１ｃの上端に水平フランジ部２１ｄを備える。フランジ部２１ｄを天板３０の段部３４ｄに載置して、汁受皿２１は天板３０の開口１６に配設される。五徳２２は複数本の爪部２２ａを五徳枠２２ｂで連結してなる。
【００１９】
外周壁部３３は、凹部３０Ａの底面から立ち上がった内周壁３３ａと、該内周壁３３ａの上端から外方に延びる水平壁３３ｂと、該水平壁３３ｂの外側端から外方に延びた下に向けて傾斜する傾斜壁３３ｃとからなり、傾斜壁部３３ｃの下端に内巻きに屈曲したカール部３３ｄが垂設される。コンロ本体１２の上面の開口を覆う天板３０は、これらカール部３０ｄをワークトップ２の上面に着座して載置される。
【００２０】
突条突起３２は各調理具載置部１９に天板３０の左右横方向に平行線状に複数本、本例では３本設けている。該突条突起３２は先端に丸みを付けた三角形状断面を有し、前記のように天板３０の凹部３０Ａから外周壁部３３の頂部（水平壁３３ｂ）よりも高く突出している。突条突起３２は調理具載置部１９に左右横方向に設けたが、前後縦方向など適宜の方向に設けてもよい。
【００２１】
本実施の形態の天板３０は、以上のように構成され、ガスバーナが臨む開口１６および１７を開口周囲壁部３４で囲繞した天板３０の外周に外周壁部３３を形成しているので、開口１６、１７に配設した五徳２２上の図示しない鍋から天板３０に煮こぼれ汁が垂れると、煮こぼれ汁は外周壁部３３で囲まれる凹部３０Ａに溜められる。このとき天板３０の調理具載置部１９に突条突起３２を設けているので、載置部１９に調理具、たとえば鍋を置いても、鍋底は突条突起３２の上面に乗って凹部３０Ａに溜まった煮こぼれ汁に浸ることがなく、鍋底が煮こぼれ汁で汚れることがない。したがって調理後鍋を食卓等へ置いても食卓の汚れも生じない。また突条突起３２を設けたことにより調理具載置部１９の強度、特に折れ曲がりに対する剛性を高くでき、外周壁部３３と共に天板３０の全体の強度を向上する効果がある。さらに突条突起３２の頂部を天板３０の外周壁部３３の頂部よりも高くしたので、調理具載置部１９に置いた鍋の鍋底を外周壁部３３に接触しづらくでき、鍋底の接触による外周壁部３３の上面の擦り傷が生じにくい。
【００２２】
図４は本発明の他の実施の形態を示す。この実施の形態では、天板３０の調理具載置部１９に連続状の突条突起を複数本設ける代わりに、通常の山形の突起３５を互いに間隔を開けた直線配列で、これを平行線状に３列設けた。本例では山形突起３５は先端に丸みを付けた円錐状に形成したが、円柱状、角錐状など適宜形状とすることができる。この山形突起３５は前記の突条突起３２と同様、天板３０の凹部３０Ａからの高さを外周壁部３３よりも高く突出させている。なお、山形突起３５は調理部載置部１９の空きスペースをほぼ網羅すればよく、規則的に設ける必要はない。
【００２３】
本実施の形態のその他の構成、作用効果は先の実施の形態と同様である。
【００２４】
以上の実施の形態では、いずれも、天板３０は後方部にグリルの排気口１８がある場合を示したが、コンロにグリルなく、天板にその排気口がなくて、全周に同幅の壁部３３を設ける天板でもよい。
【００２５】
また以上では、天板３０は凹部３０Ａの左右の前部のバーナ用開口１６の後方かつ後部のバーナ用開口１７の両側位置に調理具載置部１９を備えたが、後部のバーナ用開口１７がなくて、前部のバーナ用開口１６、１６の後部全域を調理具載置部１９とすること等、バーナ用の開口以外の空きスペースを調理具載置部１９として、ここに前記の連続状の突条突起あるいは山形突起を形成した天板であってもよい。
【００２６】
また開口１６、１７には汁受皿２１を介してガスバーナが臨む例で説明したが、汁受皿２１がなく、バーナが開口１６、１８に直接臨む形式のものであっても勿論よい。
【００２７】
【発明の効果】
以上説明したように、本発明によれば、加熱源が臨む開口周囲壁部で囲繞した開口を有し、外周全周に外周壁部を有する天板の開口のない空きスペースを調理具載置部として、ここに複数の突起を形成したので、外周壁部と共に天板の全体的な強度を向上することができると共に、天板の外周壁部で囲まれる凹部に煮こぼれ汁が溜まっても、調理具載置部に置いた鍋などの調理具の底面が汚れることがなく、さらに突起の高さを外周壁部より高くしたので、調理具の底面が接触することによる外周壁部上面の擦り傷が生じにくい。
【図面の簡単な説明】
【図１】本発明の一実施の形態の天板を用いたガスコンロを示す縦断面図である。
【図２】図１の天板の平面図である。
【図３】天板の断面図で、図２のＸ−Ｘ線断面図（ａ）およびＹ−Ｙ線断面図（ｂ）である。
【図４】本発明の天板の他の実施の形態を示す平面図である。
【符号の説明】
１０    ガスコンロ
１２    コンロ本体
１６、１７  開口
１９    調理具載置部
３０    天板
３０Ａ  凹部
３０Ｂ  前縁部
３０Ｃ  側縁部分
３０Ｄ  後縁部
３２    突条突起
３３    外周壁部
３４    開口周囲壁部
３５    山形突起
【図１】
2004150775.tif 000003
【図２】
2004150775.tif 000004
【図３】
2004150775.tif 000005
【図４】
2004150775.tif 000006